(57)【要約】【課題】床下空間部をうまい具合に利用してヒートポンプ式エアコンによる高効率な暖房等の運転を実現することができる屋内空調システムを提供する。【解決手段】基礎４が断熱基礎からなって床下空間部３が屋外１３に対して断熱されており、ヒートポンプ式エアコンの室内機５の空気吸込み口５ｂが屋内１に連通すると共に、同室内機５の吹出し口５ａが床下空間部３に連通し、かつ、例えば床２に、屋内１と床下空間部３とを連通する通気口６が設けられ、前記室内機５のファンの駆動による床下空間部３と屋内１の圧力差により、床下空間部３の空気が通気口６を通じて屋内１に送り込まれるようになされている。【選択図】      図１
2007303691.tif 000002
【特許請求の範囲】
【請求項１】
基礎が断熱基礎からなって床下空間部が屋外に対して断熱されており、ヒートポンプ式エアコンの室内機の空気吸込み口が屋内に連通すると共に、同室内機の吹出し口が床下空間部に連通し、かつ、屋内に面して、屋内と床下空間部とを連通する通気口が設けられ、前記室内機のファンの駆動による床下空間部と屋内の圧力差により、床下空間部の空気が通気口を通じて屋内に送り込まれるようになされていることを特徴とする屋内空調システム。
【請求項２】
前記空調が暖房であり、通気口が床に設けられている請求項１に記載の屋内空調システム。
【請求項３】
前記床下に蓄熱材が備えられている請求項１又は２に記載の屋内空調システム。
【請求項４】
前記床下空間部が間仕切り基礎で複数に区画され、室内機の空気吹出し口が、ダクトを通じて、区画された単位床下空間部のうちの全部又は一部に連通されている請求項１乃至３のいずれか一に記載の屋内空調システム。
【発明の詳細な説明】
【技術分野】
【０００１】
本発明は、屋内空調システムに関する。
【背景技術】
【０００２】
ヒートポンプ式エアコンによって屋内の暖房や冷房、除湿等の空調を効率良く行うことができるようにするための様々な工夫は、従来より行われている。
【特許文献１】特開平１０−３１８５８３号公報
【発明の開示】
【発明が解決しようとする課題】
【０００３】
本発明は、そのような背景において、床下空間部をうまい具合に利用してヒートポンプ式エアコンによる高効率な空調運転を実現することができる屋内空調システムを提供することを課題とする。
【課題を解決するための手段】
【０００４】
上記の課題は、基礎が断熱基礎からなって床下空間部が屋外に対して断熱されており、ヒートポンプ式エアコンの室内機の空気吸込み口が屋内に連通すると共に、同室内機の吹出し口が床下空間部に連通し、かつ、屋内に面して、屋内と床下空間部とを連通する通気口が設けられ、前記室内機のファンの駆動による床下空間部と屋内の圧力差により、床下空間部の空気が通気口を通じて屋内に送り込まれるようになされていることを特徴とする屋内空調システムによって解決される。
【０００５】
この屋内空調システムでは、ヒートポンプ式エアコンの室内機の空気吸込み口と屋内の連通、室内機の吹出し口と床下空間部との連通、そして、屋内と床下空間部との通気口による連通を、断熱基礎との組み合わせにおいて行ったシステムであるので、床下空間部を空調空気の通路として用いることができて、ダクトレス、ないしは、ダクト長を短くしながら、屋内を効率良く空調することができる。
【０００６】
のみならず、断熱基礎によって床下空間部を屋内と同様の環境にしているなかで、ヒートポンプ式エアコンの室内機の空気吸込み口を屋内に連通し、同室内機の吹出し口を床下空間部に連通しているので、遅れて空調作用の及ぼされる屋内の空気が室内機を通過し、室内機の熱交換効率を高めることができて、効率の良い空調運転を実現することができる。
【０００７】
前記空調が暖房であり、通気口が床に設けられている場合は、空気の温度差上昇作用を利用して屋内を低所から高所にわたってうまい具合に暖房することができると共に、ダクトをなくす、ないしは、短くすることができる。
【０００８】
前記床下に蓄熱材が備えられている場合は、空調が暖房であるときは、暖房運転により床下蓄熱材に蓄熱され、室内機の空気吸込み口が屋内に連通していることとの組み合わせで、蓄熱材からの放熱作用によって空調の効率を落としてしまうこともなく、また、蓄熱材に蓄熱された暖房熱は、基礎断熱効果によって外への放出が阻止されて、屋内の暖房に効率良く用いることができる。また、深夜電力等により蓄熱材に蓄熱した熱をそれ以外の時間帯等で屋内の暖房に使用し、それだけでは暖房に不足を生じるようになった場合には、室内機の空気吸込み口が屋内に連通していることとの組み合わせで、上記室内機を補助暖房手段として効率良く運転させることができる。空調が除湿や冷房である場合も概ね同様である。
【０００９】
床下空間部が間仕切り基礎で複数に区画され、室内機の空気吹出し口が、ダクトを通じて、区画された単位床下空間部のうちの全部又は一部に連通されているのもよい。この場合は、床下空間部を流通する空調空気の流れが間仕切り基礎によって妨げられるのを防ぐことができ、屋内を平面方向の広い範囲にわたって効率良く空調することができ、しかも、ダクトが使用されるとはいいながら、ダクトはその先端部が各単位床下空間部に開口していればよく、その長さ寸法を短く抑えることができる。
【発明の効果】
【００１０】
本発明は、以上のとおりのものであるから、床下空間部をうまい具合に利用してヒートポンプ式エアコンによる高効率な空調運転を実現することができる。
【発明を実施するための最良の形態】
【００１１】
次に、本発明の実施最良形態を図面に基づいて説明する。
【００１２】
図１に示す第１実施形態の屋内空調システムにおいて、１は屋内、２は床、３は床下空間部であり、床下空間部３を囲む基礎４は、断熱材４ａが設けられた断熱基礎からなっていて、床下空間部３は屋外１３に対して断熱されている。そして、屋内１の階段下の空間部１ａには、ヒートポンプ式エアコンの室内機５が設置され、該室内機５の吹出し口５ａが床下空間部３に開放されると共に、同室内機５の吸込み口５ｂが階段下空間部１ａに開放され、屋内１のリビング等の床２に、屋内１と床下空間部３とを連通する通気口６が設けられている。なお、階段下の空間部１ａは出入り口７付近に設けられたガラリ８等を通じて屋内１に連通されている。９はエアコンの室外機である。
【００１３】
上記の屋内空調システムでは、冬季に、エアコンを暖房モードで駆動すると、室内機５に備えられた図示しないファンの駆動により、床下空間部３が正圧、屋内１が負圧になり、屋内１の空気が室内機５に送り込まれ、冷媒との熱交換で暖められて床下空間部３に吹き出し、床２の通気口６を通じて屋内１に送り返されるという、矢印で示すような空気の循環流れが形成され、床下空間部３が断熱基礎４で断熱されていることとの組み合わせにおいて、屋内１が平面方向の広い範囲にわたって低所から高所まで、ダクトレスで効率良く暖房されていく。
【００１４】
そして、断熱基礎４によって床下空間部３を屋内１と同様の環境にしているなかで、室内機５の空気吸込み口５ｂを屋内１に開放し、吹出し口５ａを床下空間部３に開放しているので、遅れて空調作用の及ぼされる屋内１の空気が室内機５の熱交換部と熱交換をし、それによって室内機５の熱交換効率が高められて、効率の良い空調運転が実現される。
【００１５】
また、床下のコンクリート土間１０を蓄熱材とする場合は、暖房運転により床下土間１０に蓄熱され、室内機５の空気吸込み口５ｂが屋内１に連通していることとの組み合わせで、床下土間１０からの放熱作用によって空調の効率を落としてしまうこともなく、また、床下土間１０に蓄熱された暖房熱は基礎断熱効果によって外への放出が阻止されて屋内１の暖房に効率良く使われる。更に、深夜電力等による暖房運転で床下土間１０に蓄熱した熱をそれ以外の時間帯等で屋内１の暖房に使用し、それだけでは暖房に不足を生じるようになった場合には、室内機５の空気吸込み口５ｂが屋内１に連通していることとの組み合わせ効果で、室内機５を補助暖房手段として効率良く運転させることができる。メンテナンスも室内機５を床下空間部３に設置する場合に比べて容易である。
【００１６】
図２に示す第２実施形態の屋内空調システムは、床下空間部３が間仕切り基礎４ｂで複数に区画され、室内機５の空気吹出し口５ａが、ダクト１１…を通じて、区画された各単位床下空間部３ａ…に連通されたものからなっていて、各単位床下空間部３ａ…において、その上の床２に、通気口６…が設けられている。この場合は、床下空間部３を流通する空調空気の流れが間仕切り基礎４ｂによって妨げられるのが防がれ、屋内１を平面方向の広い範囲にわたって効率良く空調することができ、しかも、ダクト１１…が使用されるとはいいながら、ダクト１１…はその先端部が各単位床下空間部３ａ…に開口していればよく、その長さ寸法は短く抑えられる。
【００１７】
図３に示す第３実施形態の屋内空調システムは、階段下の空間部１ａに土間空間部１ｂが連設され、土間空間部１ｂと床下空間部３とが仕切り１２で仕切られており、室内機５は仕切り１２を挟んで床下空間部３側に設けられ、室内機５の吹出し口５ａが床下空間部３に開放されると共に、同室内機５の吸込み口５ｂが土間空間部１ｂに開放されている。その他は、第１実施形態等と同様である。このシステムでは、特に、室内機５を床下空間部３内に設置するものでありながら、そのメンテナンスを土間空間部１ｂを通じて容易に行うことができる。
【００１８】
以上に、本発明の実施形態を示したが、本発明はこれに限られるものではなく、発明思想を逸脱しない範囲で各種の変更が可能である。例えば、上記の実施形態では、暖房の場合を示したが、冷房や除湿の場合であってもよい。冷房や除湿の場合は、ダクトを壁や天井裏に延ばして、通気口を壁や天井面に設けるようにするのもよく、その場合であっても、床下空間部を空調の空気通路として用いていることとの組み合わせで、ダクト長を短くすることができる。
【図面の簡単な説明】
【００１９】
【図１】第１実施形態の屋内空調システムを示すもので、建物の断面正面図である。
【図２】第２実施形態の屋内空調システムを示すもので、図（イ）は要部断面正面図、図（ロ）は床下空間部の平面図である。
【図３】第２実施形態の屋内空調システムを示すもので、建物要部の断面正面図である。
【符号の説明】
【００２０】
１…屋内
２…床
３…床下空間部
４…断熱基礎
４ａ…間仕切り基礎
５…室内機
５ａ…吹出し口
５ｂ…吸込み口
６…通気口
１０…床下コンクリート土間（蓄熱材）
１１…ダクト
１３…屋外
【図１】
2007303691.tif 000003
【図２】
2007303691.tif 000004
【図３】
2007303691.tif 000005